Podtech/llm-jp-corpus-v4-ja_patent huggingface dataset:
(57)【要約】      （修正有）【課題】ゴルフボール表面に９本の円周線を入れることにより、ゴルフパター練習時、ゴルフボールのライン出しがやり易くなり、かつゴルフボールの正回転も判り易くなるゴルフボールを提供する。【解決手段】ゴルフボール表面に一点を基点Ｐ１とし、その基点を中心として十字の円周線２〜１０を引き、基点の反対側にも十字が形成され、ボール表面に２ヶ所の十字が形成された後、基点の十字と反対側の十字の中間に円周線を１本入れてボール表面に６ヶ所の十字を形成する。さらに６ヶ所全部に８分割になるように各十字に２本の円周線を入れ、６ヶ所の十字が８分割となるゴルフボール表面に９本の円周線を描いてゴルフパター練習ボールを形成する。【選択図】図１
0003168499.tif 000002
【実用新案登録請求の範囲】
【請求項１】
ゴルフボール表面に一点を基点とし、その基点を中心として十字の円周線を引き、基点の反対側にも十字を形成して、ボール表面に２ヶ所の十字を形成し、基点の十字と反対側の十字の中間に円周線を１本入れるとボール表面に６ヶ所の十字を形成しさらに、６ヶ所全部に８分割になるように各十字に２本の円周線を入れる、６ヶ所の十字が８分割となる、ゴルフボール表面に９本の円周線が描かれたことを特徴とするゴルフパター練習ボール。
【考案の詳細な説明】
【技術分野】
【０００１】  本考案は、ゴルフのパター用の練習ボールである
【背景技術】
【０００２】  ゴルフパター練習時、ボールの回転状態を見るのに無線だと回転軸が正回転しているか判らない。
【考案の開示】
【考案が解決しようとする課題】
【０００３】  従来はゴルフボール表面が無地であった為ゴルフパター練習時、ボールの回転状態が見づらいという問題があった。
【課題を解決するための手段】
【０００４】  ゴルフボール表面に円周線を９本入れる、円周線はゴルフボール表面に１点の基点を決め、基点に十字の円周線を入れる、基点の十字と反対側の十字の２ヶ所の十字が出来、２ヶ所の十字の中間に１本の円周線を入れると表面に６ヶ所の十字が出来る、十字の６ヶ所全部に８分割になるよう２本の円周線を入れると表面に９本の円周線が描かれる。
【考案の効果】
【０００５】  無線ゴルフボールでは回転軸が正しく回転しているか見ることが出来なかったが、本考案のボール表面に９本の円周線を入れることにより目標ライン合わせが９本の線のいずれか１線を合わせれば良いので容易にでき、またボールの回転軸が正しく回転しているか見ることができ、正回転時はボール表面に一本線となって表れる。
【考案を実施するための最良の形態】
【０００６】  添付図面に従って実施例を説明する、１はゴルフボール、２から１０はボール表面の円周線を表している。ゴルフボール図面１に９本の円周線１．０〜１．５ｍｍ幅で２〜１０を入れ、ボール表面に９本の円周線２〜１０が表示される、これらの線は最初にボールの表面に１点の基点を決めて、基点Ｐ１を中心とし十字の円周線３，５を入れ、２ヶ所の十字が出来、２ヶ所の十字の中間に１本の円周線を入れると６ヶ所の十字が出来る、６ヶ所全部に８分割となるよう十字に２本の円周線を入れる、ボール表面に９本の円周線が出来る。【０００７】  ゴルフパターでボールの回転状態を見るのに、無線だと見ることができないが、ボール表面に９本の円周線を入れ９本のうち１線を目標に合わせ回転時、正回転すればボール表面に１本線となって表れ、他の線は消える、ボールの回転軸がずれていれば、ボール表面に１本線は現れない、９本の円周線を入れることにより目標ライン合わせが容易にできる、例えば足、またはパターなどで９本線のうち１線をラインに合わせれば良い、ボール表面の円周線の太さは１．０〜１．５ｍｍにすることにより、回転時円周線はきれいな１本線となってみえる。
【図面の簡単な説明】
【０００８】
【図１】本考案の円周線入りゴルフボールの平面図
【図２】本考案の円周線入りゴルフボールの斜面図
【符号の説明】
【０００９】１        ゴルフボール
２〜１０  円周線
Ｐ１      基点
【図１】
0003168499.tif 000003
【図２】
0003168499.tif 000004
(57)【要約】      （修正有）【課題】ゴルフショットにおけるスライスボールを防ぐ手袋を提供する。【解決手段】小指球の後ろ側の手首から手の甲を経由して母指の付け根にかけ、ゴムスプリングを配置する。【選択図】図１
0003168495.tif 000002
【実用新案登録請求の範囲】
【請求項１】
小指球の後ろ側の手首から手の甲を経由して母指の付け根にかけ、ゴムスプリングを配置したゴルフ手袋。
【考案の詳細な説明】
【技術分野】
【０００１】この考案はゴルフ手袋に関するものである。
【背景技術】
【０００２】ゴルフスイングのトップからダウンスイングにかけて、いち早く手のひらが自分の外側に返せるように設計をした。
【考案の開示】
【考案が解決しようとする課題】
【０００３】スライスボールを打ちたくない。
【課題を解決するための手段】
【０００４】小指球の後ろ側の手首から手の甲を経由して母指の付け根にかけ、ゴムスプリングを配置した手袋を着用することによって、手のひらが自分の外側に返しやすくなり、もってスライスボールの解消を図りたい。
【考案の効果】
【０００５】初心者ゴルファーの武器となる。
【考案を実施するための最良の形態】
【０００６】痛みを発生するほど強く引っ張ることのないよう、程良い緊張力が望ましい。
【実施例】
【０００７】皮手袋、布手袋を問わず実施が可能である。
【産業上の利用可能性】
【０００８】それ程に高価となる事由が少ない。
【図面の簡単な説明】
【０００９】
【図１】本考案の正面図
【図２】本考案の背面図
【符号の説明】１      手袋              ２      ゴムスプリング
【図１】
0003168495.tif 000003
【図２】
0003168495.tif 000004
(57)【要約】      （修正有）【課題】学童等のランドセルに取り付ける安全テープにおいて、再帰反射性インク及び蓄光インクを使用することで、夜間の視認性を高めたランドセル用安全テープを提供する。【解決手段】ランドセルの被せ蓋に取り付ける安全チーフ１において、黄色の三角形マーク２を再帰反射性カラーインクでプリントすると共に、その三角形マークの周囲を蓄光インクでプリントした長方形のチーフの２つの短辺に、短辺と平行に設けたゴム紐４の両端を長方形のチーフの端部に縫い付けてランドセル用安全チーフを形成する。【選択図】図１
0003168492.tif 000002
【実用新案登録請求の範囲】
【請求項１】
ランドセルの蓋に取り付ける安全チーフにおいて、黄色の三角形マークを再帰反射性カラーインクでプリントすると共に、その三角形マークの周囲を蓄光インクでプリントした長方形のチーフの２つの短辺に、短辺と平行に設けたゴム紐の両端を長方形のチーフの端部に縫い付けたことを特徴とするランドセル用安全チーフ。
【考案の詳細な説明】
【０００１】学童の存在を他の交通機関の運転者に知らしめるランドセルに取り付ける安全チーフにかんする。
【背景技術】
【０００２】従来、学童のランドセルに取り付けるカバーにおいては黄色やオレンジ色の物があったが、夕暮れ時の暗闇の中で遥か遠方から学童を視認できる物は無かった。
【考案の概要】
【考案が解決しようとする課題】
【０００３】学童の交通安全のために黄色い帽子黄色またはオレンジ色のランドセルカバーが有ったが、夕暮れ時の中での視認性はあまり高くなく、しばしば交通事故が発生していた。
【課題を解決するための手段】
【０００４】本考案は、ランドセルの被せ蓋に取り付ける安全チーフにおいて、黄色の三角形マークを再帰反射性カラーインクでプリントすると共に、その三角形マークの周囲を蓄光インクでプリントした長方形のチーフの２つの短辺に、短辺と平行に設けたゴム紐の両端を長方形のチーフの端部に縫い付けたことを特徴とするランドセル用安全チーフである。
【考案の効果】
【０００５】本考案は黄色の三角形マークを再帰反射性カラーインクでプリントすると共に、その三角形マークの周囲を蓄光インクでプリントしたので、再帰反射性カラーインクは自動車のライトにより光るので、自動車の運転手に学童の存在を遥か遠方においても伝える事ができる。
更に蓄光インクは夕暮れ時や暗闇の中でも光るので、学童の存在を遥か遠方においても伝える事ができる。
よって、学童の通行の安全を確保することができ交通事故を抑制する面で優れている。
【図面の簡単な説明】
【０００６】
【図１】安全チーフ本体の表側
【図２】安全チーフ本体の裏側
【図３】安全チーフをランドセルに装着した図
【図４】安全チーフをランドセルに装着した場合のランドセルの背面
【考案を実施するための形態】
【０００７】本考案の安全チーフの本体は交通安全事故防止として指定されている黄色に染色した本質的に光り易いサテン（朱子）織物を用いて其の上に撥水加工を施し多少の水濡れにもランドセルを守る役目を発揮する。
【０００８】安全チーフ▲１▼表面に三角マーク▲２▼を黄色の再帰反射性インクを用いてプリント加工を施す。
三角形マーク▲２▼の周囲に蓄光インクで同時にプリント加工を施す。
【０００９】安全チーフ▲１▼本体の上部に「交通安全」▲３▼の四文字の標語を三角形マーク▲２▼周囲に用いる蓄光インクで同時プリント加工を施す。
【００１０】三角形マーク▲２▼に使用する再帰反射性インクはすべての車輌のライトでも反射し学童の存在を視認出来るのである。
【００１１】蓄光インクを用いたプリント部分は光源（電気光・太陽光）から完全に離れた場合に反射光の如く光り簿暮から暗闇にかけてもランドセルを背負った学童の存在を確認し易く事故を未然に防ぐ事が出来る効果がある。
【００１２】安全チーフ▲１▼の短辺の上部と下部の２個所に短辺に平行してオペロンゴム紐▲４▼を両端に縫い付けている。
上部に縫い付けているゴム紐▲４▼はランドセル▲５▼装着の時に被せた安全チーフ▲１▼を固定する役目がある。
下部に縫い付けたゴム紐▲４▼はランドセル▲５▼の被せ蓋の裏側に廻し装着を安定させる。
【符号の説明】
【００１３】▲１▼安全チーフ
▲２▼三角形マーク
▲３▼交通安全標語
▲４▼オペロンゴム紐
▲５▼ランドセル
【図１】
0003168492.tif 000003
【図２】
0003168492.tif 000004
【図３】
0003168492.tif 000005
【図４】
0003168492.tif 000006
(57)【要約】      （修正有）【課題】誰が業務を中断しているか、他の人に一目でわかるようにした、病院等の医療現場で使用する業務中断カードを提供する。【解決手段】形状を「びっくりマーク」様にし、赤く塗り、カードの上部（横４０ｍｍ×縦２０ｍｍの範囲）に名前を記入するようにし、その下に、横２０ｍｍ縦３０ｍｍの範囲に切れ目を設けて「業務中断中カード」を形成する。【選択図】図１
0003168468.tif 000002
【実用新案登録請求の範囲】
【請求項１】
形状を「びっくりマーク」様にし、赤く塗り、名前を記入するようにし、カードに切れ目を設けた「業務中断中カード」。
【考案の詳細な説明】
【技術分野】
【０００１】この考案は、病院等の医療現場で使用する業務中断中カードに関する。
【背景技術】
【０００２】従来の業務中断中カードの形状は、紙等で作られた長方形のものである。
【考案の概要】
【考案が解決しようとする課題】
【０００３】従来の業務中断中カードは、紙製、長方形で、色、サイズがまちまち、名前の記入も無く、業務が中断中であることがわかりずらく、紛失したり、医療ミスの原因ともなる。そこで、この発明は、業務が中断中であることが、一目で誰にでも分かるようにしたり、紛失しないようにすることを課題とする。
【課題を解決するための手段】
【０００４】以上の課題を解決するために、第一考案は、形状を「びっくりマーク」様にし、赤く塗り、名前を記入するようにした。第二考案は、カードに切れ目を設けた。
【考案の効果】
【０００５】第一考案によれば、一目で誰が、業務を中断しているか、他の人がわかるようになる。また第二考案によれば、書類等をはさみこむことにより紛失を防止することができる。
【図面の簡単な説明】
【０００６】
【図１】この考案の実施形態の平面図である。
【考案を実施するための形態】
【０００７】この考案の実施形態を、図１に示す。
形状が「びっくりマーク」様で、赤く塗られ、名前が記入、切れ目が入っている。
【０００８】「実施形態の効果」
一目で誰が、業務を中断しているか、他の人がわかるようになり、また、紛失を防止することができる。
【図１】
0003168468.tif 000003
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
形状を「びっくりマーク」様にし、赤く塗り、カードの上部（横４０ｍｍ×縦２０ｍｍの範囲）に名前を記入するようにし、その下に、横２０ｍｍ縦３０ｍｍの範囲に切れ目を設けた「業務中断中カード」。
(57)【要約】      （修正有）【課題】立方体を構成する各面が複数個に分割された小立方体の一面からなる立体パズルにおいて、大きな立方体の各面の数字の合計がすべて同じになる様に小立方体を揃え直す玩具を提供する。【解決手段】立方体全体は小さな立方体の集合体で大きさに応じ、２×２×２、３×３×３、４×４×４の個数で構成され、各面には１から６の数字が分割された正方形の面に記されており、立方体を構成する小さな立方体を行又は列ごとに縦横に回転させて数字をバラバラに各面に散らした後、各面の数字の合計がみな同じ（平均値）になる様揃え直す玩具とする。【選択図】図１
0003168469.tif 000002
【実用新案登録請求の範囲】
【請求項１】
各面の分割された立方体には、１から６の同じ数字が分割された数だけ記されており、バラバラにした後各面の数字の合計がみな同じ（平均値）になる様揃え直す玩具。
【考案の詳細な説明】
【技術分野】
【０００１】本考案は、バラバラになった数の面を平均値に揃える玩具である。
【背景技術】
【０００２】従来の玩具には、色の付いた面をバラバラにし再度揃えるものがある。
【先行技術文献】
【０００３】
【非特許文献１】ルービックキューブ  株式会社メガハウス
【考案の概要】
【考案が解決しようとする課題】
【０００４】従来のルービックキューブは、バラバラになった色の面を揃え直すだけだった。
【課題を解決するための手段】
【０００５】各面の分割された立方体を色の代わりに、１から６の数字に置き換えた。
平均値に端数がある場合は各面の中央の数字を零にする。
【考案の効果】
【０００６】各面の分割された立方体には同じ数字が記されてありバラバラにした後、各面の数字の合計が全て同じになる様揃え直す。各面が２×２分割では計１４、３×３分割は端数があるので計２８、４×４分割では計５６となる。
【図面の簡単な説明】
【０００７】
【図１】玩具の斜視図である。
【符号の説明】
【０００８】１  各面の数を揃えた状態
【図１】
0003168469.tif 000003
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
立方体全体は小さな立方体の集合体で大きさに応じ、２×２×２、３×３×３、４×４×４の個数で構成され、各面には１から６の数字が分割された正方形の面に記されており、立方体を構成する小さな立方体を行又は列ごとに縦横に回転させて数字をバラバラに各面に散らした後、各面の数字の合計がみな同じ（平均値）になる様揃え直す玩具。
【手続補正３】
【補正対象書類名】明細書
【補正対象項目名】０００３
【補正方法】変更
【補正の内容】
【０００３】
【非特許文献１】製品リスト    株式会社メガハウス
【手続補正４】
【補正対象書類名】明細書
【補正対象項目名】０００４
【補正方法】変更
【補正の内容】
【０００４】従来の縦横回転式色合わせ立方体パズルは、バラバラになった色の面を揃え直すだけだった。
(57)【要約】      （修正有）【課題】右手、左手にかかわらず片手の不自由な人が、片手でボタンをボタン穴にはめることができる道具を提供する。【解決手段】平面部を備えた針金を瓢箪型に形成し、手持ち棒の一端部に固着して、他端部を細丸部に備えさせる。【選択図】図１
0003168463.tif 000002
【実用新案登録請求の範囲】
【請求項１】
平面部を備えた針金に瓢箪型ボタン受けを備え、前記瓢箪型ボタン受けを備えた針金を手持ち棒の一端部に固着して、他端部を細丸部に備えさせた構成にしたことを特徴とする片手でボタンをボタン穴にはめる道具。
【考案の詳細な説明】
【技術分野】  本考案は、小さいボタンを片手でボタン穴にはめる道具に関するものである。
【背景技術】  従来、洋服やワイシャツなどの小さいボタンをボタン穴にはめる道具は、洋服製造工場などで針金をボタンの大きさにあわせて使われている。それらは手の健康な人が使うものであり、手の不自由な人には使いずらい。
【考案の開示】
【考案が解決しようとする課題】  高齢者で手がしびれて力が入らない人、手に障害をもつ人、手に怪我をした人などで片手の作業しかできない方々に問題を有している。
【課題を解決するための手段】  本考案は、前記問題を解決する手だてとして、平面部を備えた針金に瓢箪型ボタン受けを備え、前記瓢箪型ボタン受けを備えた針金を手持ち棒の一端部に固着して、他端部を細丸部に備えさせた構成にしたことを特徴とする片手でボタンをボタン穴にはめる道具を提供するものである。
【考案の効果】  本考案に係る片手でボタンをボタン穴にはめる道具は、前記問題を解決する手だてとして、平面部を備えた針金に瓢箪型ボタン受けを備え、前記瓢箪型ボタン受けを備えた針金を手持ち棒の一端部に固着して、他端部を細丸部に備えさせた構成にしたことにより、片手で瓢箪型ボタン受けをボタン穴に通してボタンをつけ、手持ち棒を引いてボタン穴にはめることができると共に、右手、左手にかかわらず片手の不自由な人が、小さいボタンをボタン穴にはめるもどかしさから解放される効果がある。
【考案を実施するための最良の形態】
【実施例】  本考案に係る片手でボタンをボタン穴に通す道具を、図示の実施例に基づいて説明する。図１において、ボタンを安定させる平面部２を備えた金属材料で真鍮の針金１に瓢箪型ボタン受け３を備え、該瓢箪型ボタン受けをボタン穴に通して大きな囲いにボタンを入れ、ボタンを引いたとき小さい囲いに誘導され外れにくくなるように形成されている。前記瓢箪型ボタン受け３を備えた針金１を竹の材料でボタン穴を通る太さの手持ち棒４の一端部に固着して、他端部には手もち棒をボタン穴の裏面から先に通してボタンをはめるときに使うための細丸部５に形成されている。
【図面の簡単な説明】
【図１】  本考案の片手でボタンをボタン穴にはめる道具の実施例を示した斜視図である。
【符号の説明】    １  針金
２、平面部
３、瓢箪型ボタン受け
４、手持ち棒
５、細丸部
【図１】
0003168463.tif 000003
【手続補正書】
【提出日】平成23年3月16日(2011.3.16)
【手続補正１】
【補正対象書類名】実用新案登録請求の範囲
【補正対象項目名】請求項１
【補正方法】変更
【補正の内容】
【請求項１】
瓢箪型に形成し平面部を備えた針金を手持ち棒の一端部に固着して、他端部を細丸部に備えさせた構成にしたことを特徴とする片手でボタンをボタン穴にはめる道具。
(57)【要約】      （修正有）【課題】密閉保存してある焼酎などの液体をそのまま蓋を開けないで分注したり、自動的に補充したりすることができ、また密閉状態のまま撹拌することができる多容器連通式分注容器を提供する。【解決手段】吐出側に分注吐出管と還流吐出管を切り替える切替弁を設け、弁を切り替えることにより、汲上げた内容液の吐出先を容器の外部に通じる分注吐出管から容器の内部に通じる還流吐出管へ切り替え、元の容器内に吐出することにより内容液を循環させることができる汲出用手押しポンプを有する複数の容器をステンレス管などの管路で連通する。【選択図】図１
0003168454.tif 000002
【実用新案登録請求の範囲】
【請求項１】
複数の容器を連通して用いた分注装置。
【請求項２】
密閉容器内の内容液を容器内で循環させる機能を備えた分注装置。
【考案の詳細な説明】
【技術分野】
【０００１】  本考案は焼酎などの蒸留酒を保存・熟成し分注する装置に関するものである。
【背景技術】
【０００２】  一般に焼酎サーバーと呼称される焼酎などの分注器は大気圧下で容器下部のタップから自重により流れ出るものを取出す仕組みになっているが、この方式は容器を完全に密閉すると、原理的に、焼酎が流れ出なくなるため、密閉することが必要である長期保存には適さない。また、容器の大きさも限定的になる。【０００３】焼酎などの蒸留酒の保存・熟成には仕注ぎと称して、高熟成酒に低熟成酒あるいは新酒を注ぎ足す方法がとられる。その都度、甕などの容器の蓋を取り柄杓などにより内容液の移動を行わなければならない。また、時々容器内を撹拌することが必要でその都度蓋を取らなければならない。
【考案の開示】
【考案が解決しようとする課題】
【０００４】  甕などの容器に密閉保存してある焼酎などの液体を、密閉状態を保ったまま分注できること。【０００５】  また、熟成期間の異なる複数の容器に分けて保存してある容器間の内容液の移動を容器の蓋を取ることなく自動的に行うこと。【０００６】  容器内の内容液を容器の蓋を取ることなく撹拌できること。
【課題を解決するための手段】
【０００７】  甕などの容器にそれを密閉する蓋を設け、この蓋に外気を完全に遮断することができる密閉型ベローズ式手押しポンプを取付ける。これにより密閉保存状態のまま内容液を分注することが可能になる。【０００８】  該容器（以下１番甕と称する）の分注により減少した内容液を自動的に補充するために蓋を貫通して別容器（以下２番甕と称する）との間に連通管を設ける。連通管を通して１番甕と２番甕の液位が平衡するまで内容液が移動する。必要に応じて連通する甕の数を増やし、液の補充は最終番の甕に行う。【０００９】  手押しポンプの吐出側に切替弁を設け、甕内に吐出できるよう切替えることができるようにする。甕内に吐出する状態でポンピング動作を行うと内容液を甕内に循環させることができ、撹拌効果が得られる。
【考案の効果】
【００１０】  長期に亘り保存・熟成させるための密閉された甕などの容器から計量器や瓶、カップなどに直接分注することが可能になる。また、容器の蓋を開ける必要が無くなり分注により移出した分は連通管を通じて自動的に補充される。１番甕の撹拌はポンプにより内容液を循環させることにより行える。
【考案を実施するための最良の形態】
【００１１】  ２基の甕を用意し、それぞれ１番甕、２番甕とする。それぞれにそれを密閉する蓋を取付け１番甕の蓋には内容液を汲出すための切替弁付き密閉型ベローズ式手押しポンプを取付ける。１番甕と２番甕の蓋を貫通してそれぞれの内容液まで届く連通管を取付ける。２番甕の蓋には内容液を補充したり撹拌したりするための密閉できる小蓋を設ける。
【実施例】
【００１２】  以下、添付図面に従って実施例を説明する。１番甕１、２番甕２には保存・熟成させるべき焼酎などが入れてあり、それぞれ蓋８、９で密閉してある。２つの甕の内容液は連通管４により連通されている。【００１３】  １番甕１の密閉蓋８に取付けてある切替弁付き密閉型ベローズ式手押しポンプ３のピストンロッド３ａを上下させることにより内容液を吸込管５を経由して分注吐出管６に汲上げ所望の容器に分注することができる。【００１４】  切替弁ロッド３ｂを押して切替弁を切替えると内容液は還流吐出管７を経由して甕内に還流する。この状態でポンピング動作を繰返すと内容液は甕内を循環することになり、その液流により内容液を撹拌することができる。【００１５】  ベローズピストン３ｃはベローズフランジ３ｄによりシリンダー３ｅの端面に密閉されているので甕内にポンプを経由して外気が入ることはない。また、内容液の補充は２番甕の小蓋１０を取り行う。さらに多くの甕を連通した場合は同じように最終番の甕に補充する。
【図面の簡単な説明】
【００１６】
【図１】連通する容器（１番甕と２番甕）と切替弁付き密閉型ベローズ式手押しポンプ及びその配管を示す概念図。
【図２】切替弁付き密閉型ベローズ式手押しポンプの構造を示す断面図。
【符号の説明】
【００１７】  １    １番甕
２    ２番甕
３    切替弁付き密閉型ベローズ式手押しポンプ
３ａ  ピストンロッド
３ｂ  切替弁ロッド
３ｃ  ベローズピストン
３ｄ  ベローズフランジ
３ｅ  シリンダー
４    連通管
５    吸込管
６    分注吐出管
７    還流吐出管
８    密閉蓋
９    密閉蓋
１０    密閉小蓋
【図１】
0003168454.tif 000003
【図２】
0003168454.tif 000004
【手続補正書】
【提出日】平成23年1月22日(2011.1.22)
【手続補正１】
【補正対象書類名】実用新案登録請求の範囲
【補正対象項目名】全文
【補正方法】変更
【補正の内容】
【実用新案登録請求の範囲】
【請求項１】
吐出側に切替弁を設け、汲上げた内容液を元の容器内に吐出することにより循環させることができる汲出用手押しポンプを有することを特徴とする複数の容器をステンレス管などの管路で連通した分注装置
【手続補正書】
【提出日】平成23年3月11日(2011.3.11)
【手続補正１】
【補正対象書類名】実用新案登録請求の範囲
【補正対象項目名】全文
【補正方法】変更
【補正の内容】
【実用新案登録請求の範囲】
【請求項１】
吐出側に分注吐出管と還流吐出管を切り替える切替弁を設け、弁を切り替えることにより、汲上げた内容液の吐出先を容器の外部に通じる分注吐出管から容器の内部に通じる還流吐出管へ切り替え、元の容器内に吐出することにより内容液を循環させることができる汲出用手押しポンプを有することを特徴とする複数の容器をステンレス管などの管路で連通した分注装置
(57)【要約】      （修正有）【課題】直腸内の糞等による汚染の問題を解消した作業性のある超音波診断装置プローブカバーを提供する。【解決手段】ポリエチレン又はポリプロピレンを原料とする衛生資材カバーにゼリーを入れた後、超音波診断装置プローブを挿入し、液が漏れないように縛る。【選択図】図−２
0003168452.tif 000002
【実用新案登録請求の範囲】
【請求項１】
ポリエチレン又はポリプロピレンを原料とする衛生資材カバーにゼリーを注入後、超音波診断装置のプローブを入れ、紐でゼリーが漏れないようにし、プローブの有効活用することを特徴とする。
【考案の詳細な説明】
【考案の詳細の説明】
【技術分野】
【０００１】  本考案は、医療、検査室、研究所は勿論、衛生検査、動物繁殖等に使用する超音波診断装置部のプローブにカバーを付け有効活用に関するものである。
【背景技術】
【０００２】  従来の直腸内検査は衛生検査手袋を使用し、直腸内を触感検査するが、又は畜体の表面にゼリーを塗布後、超音波診断装置部のプローブを挿入し直腸内を検査する。  この場合はプローブが糞等により汚染されるため、装置清掃の問題及び連続使用すると，畜体に対する安全性の不安が残る。
【考案が解決しようとする課題】
【０００３】  本考案は、衛生資材カバーにゼリーを注入後、超音波診断装置部のプローブを入れカバーの一部を紐で液が漏れないし、プローブを確実に稼動させ、プローブの清掃及び糞等による汚染の問題解決し、更に安全に連続使用を可能にしたものである。
【課題を解決するための手段】
【０００４】    衛生資材カバーにゼリーを注入したカバーにプローブを入れ、紐で漏れないようにすることを特徴とする。
【考案を実施するための形態】
【０００５】  考案の実施の形態について図面を参照して説明する。  次に、本考案を説明する。  ポリエチレン樹脂又はプラスチック樹脂に、生分解性プラスチック、例えばテクラ・ノボン２０％を加えて混合溶解し、自然分解プラスチックに変化させ、これを通常のインフュージョン成形により衛生検査カバーを製造する。  通常は衛生資材手袋を使用し、触感で直腸内を検査するか、又は畜体表面にゼリーを塗布後、超音波診断装置部のプローブで、直腸内内部を検査する。この場合は直腸内内容物によりプローブ本体が汚れ、清掃に時間を必要とする。また連続使用する場合には、畜体に対する安全性の不安が残る。（図１）  ないように縛り測定を実施する。衛生資材カバーにゼリを入れることで、カバーと畜体表面の密着が確実になり、プローブが正確に稼動する。カバーの使用によりプローブの本体の汚れ、清掃及び感染症に対する安全性の問題を解決する。（図−２）
【考案の効果】
【０００６】    本考案は、衛生資材カバーにゼリーを注入後、ブローブを入れた液が漏れないように紐で縛り、ブローブを正確に稼動させ、ブローブ本体の汚れ防止し、更に連続使用をしても畜体の感染症に対する安全性を担保する。
【図面の簡単な説明】
【図−１】提案前  平面図
【図−２】提案    平面図
【符号の説明】
【図−１】
0003168452.tif 000003
【図−２】
0003168452.tif 000004
【手続補正書】
【提出日】平成23年3月4日(2011.3.4)
【手続補正１】
【補正対象書類名】実用新案登録請求の範囲
【補正対象項目名】全文
【補正方法】変更
【補正の内容】
【実用新案登録請求の範囲】
【請求項１】
ポリエチレン又はポリプロピレンを原料とする衛生資材カバーにゼリーを注入後、超音波診断装置のプローブを入れ、紐でゼリーが漏れないように縛り、プローブの有効活用するための「超音波診断装置プローブカバー」です。
(57)【要約】      （修正有）【課題】パッティングのスコアアップを望めるパターのクラブヘッドを提供する。【解決手段】クラブヘッドの打球方向に直角な方向の断面形状は真円であり、その外径寸法は、ゴルフボールの外径以下の寸法である。【選択図】図１
0003168459.tif 000002
【実用新案登録請求の範囲】
【請求項１】
ゴルフプレーに於いて、パッティングに用いるパターの  ２打球方向に対する直角方向のクラブヘッドの  ３断面外形形状は、どの場所の断面も同軸の真円形状であるクラブヘッド
（記載の符号は図１を参照）
【請求項２】
クラブヘッドの  ３断面形状の外径寸法は、どの場所の断面もゴルフボールの外径以下のクラブヘッド
【考案の詳細な説明】
【考案の詳細な説明】
【産業上の利用分野】
【０００１】この考案はゴルフプレーに於ける、主にパッティングに使用するクラブである。
【背景技術】
【０００２】今までのゴルフプレーに用いるパターのフェース面及びヘッド部形状は、ボールを打ち出す方向に対し、直角に長い形状であった。そしてヘッドの重量配分を両端に分散し、慣性モーメントを高めることにより、スイートスポットをひろげていた。
【考案が解決しようとする問題】
【０００３】１．従来のヘッド形状による安心感、すなわちクラブヘッドのどこへボールが当たっても、ボールは前へ転がっていくという気持ちからくる集中力の低下。
２．従来のクラブではまだ十分でない打球の方向性。
【課題を解決する為の手段】
【０００４】これを図面に於いて説明すれば、２打球方向に対し直角方向の１クラブヘッドの３断面形状は、どの場所でも４ゴルフボールの５外径以下の真円形状、且その中心は６ヘッド中心軸と同軸上にあるヘッド部を有するゴルフクラブである。
【作用】
【０００５】今までのパターに於けるヘッド形状の常識を覆す特徴的な本考案のヘッドにより、どの角度からヘッドを眺めても打球方向と水平にヘッドをセットアップすることが可能であり、しかもフェース面全体がスイートスポットとなる。
そしてボールを打つ人の精神面では、ボール以下の外径寸法のヘッドの為、ボールに対しより正確に構えるという意識が強くなる。
【考案の効果】
【０００６】以上によりパッティング時に於いての集中力の向上、及び打球の方向性、距離の正確性の向上により確実なスコアアップが望める。
【図面の簡単な説明】
【図１】本考案の側面図である。
【符号の説明】１はクラブヘッド  ２は打球方向  ３は打球方向に対し直角なクラブヘッド断面  ４はゴルフボール  ５はゴルフボール外径  ６はヘッド中心軸
【図１】
0003168459.tif 000003
【手続補正書】
【提出日】平成23年3月14日(2011.3.14)
【手続補正１】
【補正対象書類名】実用新案登録請求の範囲
【補正対象項目名】全文
【補正方法】変更
【補正の内容】
【実用新案登録請求の範囲】
【請求項１】
パッティングに用いるパターのクラブヘッドにおいて、打球方向に対する直角方向のクラブヘッドの断面形状は真円であり、且つどの場所の断面においても打球方向における直線上の一本のセンター軸を中心に持つクラブヘッド。
【請求項２】
前記クラブヘッドの断面形状における外径寸法は、どの場所の断面もゴルフボールの外径以下の寸法を特徴とする請求項１の記載のクラブヘッド。
(57)【要約】      （修正有）【課題】多少遊び心を加味したコンパクトで、いつでも、何処へでも、ハンドバックや、ポケットに入れて携帯できる便利な三面鏡を提供する。【解決手段】素材は強化プラスチェクなどを形成して外枠とし、その内側にガラス製の鏡を嵌め込んで、誤って落としても簡単に割れないものとする。携帯電話のように上部と下部本体との二重構造となっており、上・下部それぞれに鏡を嵌め込まれていること。長方形で下部本体は通常の一面鏡であるが、上部は折りたたみ式で、中央部より鏡が左右に開閉できる。下部一面鏡と、上部の鏡を左右に開いて（最大４５度）立てることで三面鏡となる。【選択図】図２
0003168457.tif 000002
【実用新案登録請求の範囲】
【請求項１】
折りたたみ式で、コンパクトな、いつでも、何処へでも、携帯できることを特徴とする小型三面鏡である。
【請求項２】
鏡は上部と下部本体の二重構造となっているが、丁番によって上・下部が接続されており且つ上部のみ鏡が中央で左右の開閉でき、全開すると、下部の鏡と合わせて三方位を見ることができる機能を有していることを特徴とする小型三面鏡である。
【請求項３】
下部本体の側面に設けられている蓋をはずして引き出すと蓋に接続されている鏡の取っ手があり取っ手の最上部の施されているネジ頭部を蓋穴のネジ溝に嵌め込むと取っ手が固定されることを特長とする小型三面鏡である。
【考案の詳細な説明】
【技術分野】
【０００１】電車の中などで女子学生たちが鏡をのぞいたり、化粧をしているのを見かげるが、監察する限り、鏡の殆どが平面的な一面鏡が多く、多角的に見ることができる三面鏡は殆ど見かけられない。
【背景技術】
【０００２】三面鏡という名前だけで大型の鏡という印象を持たれるが、大切なことは三方位が見ることができれば良いので、決して大きいものは必要ない。
【課題を解決するための手段】
【０００３】できるだけコンパクトなものとしたい。人前で使用することも考えると、やや大きめの携帯電話ぐらいのサイズが望ましい。
【考案の効果】
【０００４】鏡は特に女性にとってはお洒落や化粧のためだけでなく，身嗜の上でも不可欠なものと言える。旅行の時は勿論、ちょっとした外出時等にコンパクトで携帯できれば使用頻度は高くなる。
【考案と実施するための最良の形態】
【０００５】素材は強化プラスチェクなどを形成して外枠とし、その内側にガラス製の鏡を嵌め込んで、誤って落としても簡単に割れないものとする。
【０００６】携帯電話のように上部と下部本体との二重構造となっており、上・下部それぞれに鏡を嵌め込まれていること。
【０００７】外見は一面鏡が二段重ねのサイズとなっているが、簡単な操作をすることで三面鏡となる。
【０００８】上部と下部本体は丁番にて接続されていること。
【０００９】長方形で下部本体は通常の一面鏡であるが、上部は折りたたみ式で、中央部より鏡が左右に開閉できる。下部一面鏡と、上部の鏡を左右に開いて（最大４５度）立てることで三面鏡としての機能する。
【００１０】使用時には下部本体の蓋に接続されて下部本体に内蔵されている取っ手を引き出して、取っ手最上部に設けられているネジ頭部を蓋穴のネジ溝に嵌め込めば取っ手が固定される。
【００１１】使用後は上部左右の鏡を折りたたみ、取っ手のネジ留めを解いて蓋とともに下部本体に押し入れて蓋をすれば元の状態となり、ハンドバックの中やポケットなどに入れて何処へでも携帯することができる。
【００１２】下部本体の蓋穴の外周に蓋に施されている凸状リングを受け止める溝を設けること。
【００１３】蓋の内側には嵌め込み型の凸状のリングを施し、下部本体の蓋溝に凸状リングを嵌め込んで蓋を固定させること。
【００１４】着色することでカラフルなものとし、女性のみならず男性も使用しやすいものとする。
【００１５】蓋及び取っ手の色は、携帯小型三面鏡の外枠と同一色とする。
【図面の簡単な説明】
【００１６】
【図１】本考案の側面図
【図２】本考案の使用時  斜視図
【図３】本考案の蓋及び、取っ手断面図
【符号の説明】
【００１７】Ａ    鏡（下部本体）
Ｂ    鏡（上部左）
Ｃ    鏡（上部右）
Ｄ    丁番
Ｅ    蓋
Ｆ    取っ手
Ｇ    ネジ溝穴
Ｈ    ネジ頭部
Ｉ    蓋凸状嵌め込みリング
Ｊ    蓋凸状リング受け止め溝
【図１】
0003168457.tif 000003
【図２】
0003168457.tif 000004
【図３】
0003168457.tif 000005
【手続補正書】
【提出日】平成23年3月17日(2011.3.17)
【手続補正１】
【補正対象書類名】実用新案登録請求の範囲
【補正対象項目名】全文
【補正方法】変更
【補正の内容】
【実用新案登録請求の範囲】
【請求項１】
折りたたみ式で、コンパクトな、いつでも、何処へでも携帯できることを特徴とする小型三面鏡であり、鏡は上部と下部本体の二重構造となっているが、丁番によって上・下部が接続されており、且つ上部のみが、中央で左右に開閉ができ、全開すると下部の鏡と併せて、三方位を見ることが可能となり下部本体の側面に設けられている蓋をはずして引き出すと、蓋に接続されている鏡の取っ手があり、取っ手の最上部に施されているネジ頭部を蓋穴のネジ溝に嵌め込むと、取っ手が固定されることを特徴とする小型三面鏡。
(57)【要約】      （修正有）【課題】装置構造が簡単で、濾過効果及び、通気率が高い、単体換気籠に用いる高速工アフィルターを提供する。【解決手段】外カバー２の一端に前蓋１が設けられ、外カバーの他端に後蓋３が設けられ、外カバーの中に濾過内芯が配置され、濾過内芯は内芯支持フレームと内芯支持フレームの中に配置されている複式濾過膜とが結合されて構成されている。【選択図】図１
0003168427.tif 000002
【実用新案登録請求の範囲】
【請求項１】
外カバーの一端に前蓋が設けられ、外カバーの他端に後蓋が設けられ、外カバーの中に濾過内芯が配置され、前記濾過内芯は内芯支持フレームと内芯支持フレームの中に配置されている複式濾過膜とが結合されて構成されている、ことを特徴とする外カバーを有する単体換気籠のフィルター。
【請求項２】
前記内芯支持フレームは楕円形の内枠と外枠との２つが結合されて構成されており、前記内枠および外枠には、ともに対応する通気孔が設けられ、前記内枠および外枠の間に前記複式濾過膜が配置されている、ことを特徴とする請求項１記載の単体換気籠のフィルター。
【請求項３】
前記複式濾過膜は単層濾過膜がエア層を挟むように構成され、前記複式濾過膜は蛇腹形に折畳まれて蛇腹形濾過層を構成し、前記内枠と外枠との間に配置され、前記内枠および外枠と密接し、隣接する蛇腹間には密封エア層が設けられ、前記蛇腹形濾過層の設置方向は前記内枠および外枠の直径方向と一致している、ことを特徴とする請求項２記載の単体換気籠のフィルター。
【請求項４】
前記蛇腹形濾過層は少なくとも50個の蛇腹形濾過層を有する、ことを特徴とする請求項３記載の単体換気籠のフィルター。
【請求項５】
前記通気孔は方形、円形、楕円形または三角形を呈する、ことを特徴とする請求項２記載の単体換気籠のフィルター。
【考案の詳細な説明】
【技術分野】
【０００１】
本考案はフィルターの技術分野に関係し、具体的には、医学研究のために飼育する実験ねずみを放置する単体換気寵に用いる高速エアフィルターに関する。
【背景技術】
【０００２】
現在、市場にあるフィルターの構造は複雑で、濾過効果は理想的ではなく、通気率も低い。例えば、出願番号第200720074317.5号の「気体フィルターの濾過芯」という考案は、気体フィルターの殻本体に設置された濾過芯と、濾過ユニットと、濾過ユニット頂部と底部を覆っている、中心孔を有する上下端蓋と、当該中心孔に嵌め込まれて設けられている、濾過芯と殻本体を密封するためのパッキンリングとを含む。当該濾過ユニットは、同軸かつ内外の関係に嵌め込まれた内層円柱筒と外層円柱筒、及び内層円柱筒、外層円柱筒の間に配置された、固体粒子を吸込むための濾過層を含む。前記内外層の円柱には多数のネット穴が設けられており、前記濾過ユニットは、外層円柱筒の外側に嵌め込まれ、誘導液がフィルター底部まで滴下するように誘導するための誘導層を含む。前記濾過層は、２つの繊維濾過層と、濾過層の間に挟まっている繊維層を含む。従来の装置は、装置全体の構造が複雑であるだけではなく、濾過効果も最高ではなく、浄化ランクはSPF(特殊な病原体が無い)であり、体積は大きく、適用性も良くない。それと同時に従来技術においては、外カバーの中に繊維芯エア減速器が更に設置され、装置全体の体積が増大されるだけでなく、コストも増加する。
【先行技術文献】
【特許文献】
【０００３】
【特許文献１】中国実用新案公告第２０１０９４８８９号明細書
【考案の概要】
【考案が解決しようとする課題】
【０００４】
本考案の目的は、改善された単体換気籠に用いる高速工アフィルターを提供することであり、本考案によれば、従来技術における、装置構造が複雑で、濾過効果が理想的ではなく、通気率が低いなどの欠点を克服できる。
【課題を解決するための手段】
【０００５】
上述の目的を実現するため、本考案は以下の通りである。
外カバーの一端に前蓋が設けられ、外カバーの他端に後蓋が設けられ、外カバーの中に濾過内芯が配置され、濾過内芯は内芯支持フレームと内芯支持フレームの中に設置されている複式濾過膜とが結合されて構成されていることを特徴とする外カバーを含む単体換気籠のフィルター。
【考案の効果】
【０００６】
本考案のフィルターには使用時に低抵抗且つ高効率の濾過内芯が設置されており、また、濾過内芯が楕円筒の形状を呈するため、装置全体の構造が簡単であり、重量は従来装置の70％減少し、体積は30％減少し、通気率は95％以上まで上げられ、浄化ランクは最高の無菌ランク(GFランク)まで達成することができる。
【図面の簡単な説明】
【０００７】
【図１】図１は、本考案の一つの実施例の構造図である。
【図２】図２は、図１の断面図である。
【考案を実施するための形態】
【０００８】
以下、添付図と実施例により、本考案を説明する。
本考案は主に外カバー(2)を含む。従来技術との相違点は、外カバーの一端に前蓋(1)が設けられ、外カバーの他端に後蓋(3)が設けられ、外カバーの中に濾過内芯(4)が配置され、濾過内芯は内芯支持フレームと内芯支持フレームの中に配置されている複式濾過膜(5)とが結合されて構成されており、内芯支持フレームは２つの楕円形の内枠・外枠が結合されて構成されており、内枠・外枠には対応する通気孔が設けられ、内枠・外枠の間に複式濾過膜が配置され、複式濾過膜は単層濾過膜がエア層を挟むように構成され、蛇腹形に折畳まれた後に内枠・外枠の間に配置され、内枠・外枠と密接し、隣接する蛇腹間には密封エア層が設けられ、蛇腹形濾過層の設置方向は内枠・外枠の直径方向と一致し、蛇腹形濾過層は少なくとも50個の蛇腹形濾過層または蛇腹のひだを有し、通気孔は方形・円形・楕円または三角形のいずれかの形状を呈する。
【０００９】
本実施例は、濾過内芯は楕円筒の形状を呈するため、フィルター全体の重量と体積は大幅に減少され、原材料を省けるだけではなく、適用できる範囲が広く、濾過内芯は内芯支持フレームと内芯支持フレームの中に配置されている複式濾過膜とが結合されて構成されており、内芯支持フレームは１つの小さな楕円の内枠と１つの大きな楕円の外枠とが嵌め込まれた方式で構成され、内枠・外枠は、ともに対応する方形の通気孔を有し、複式濾過膜は内枠・外枠との間の空間の大きさに従い、蛇腹形濾過層に折畳まれ、蛇腹形濾過層と内枠・外枠は密接し、それによりフィルターの通気率は95％以上まで上がり、浄化ランクは最高の無菌ランク(GFランク)まで達成することができる、単体換気籠に用いる高速エアフィルターである。
【図１】
0003168427.tif 000003
【図２】
0003168427.tif 000004
(57)【要約】 【課題】デザイン性に優れたピアスを提供する事を目的とする。【解決手段】ピアス１０は線材１ａ、１ｂ、１ｃ、１ｄ、１ｅ、及びポスト３によって形成された四面体である。ポスト３は線材１ａと線材１ｂの交点に設置されたヒンジ２に回転自在に設置され、線材１ｄと線材１ｅの交点にはキャッチ４が設置され、ポスト３がキャッチ４によって係止されている。【選択図】図１
0003168432.tif 000002
【実用新案登録請求の範囲】
【請求項１】
立体の稜線の位置に配置され、該立体を形成する複数の線材から構成され、前記複数の線材のうちの１本の線材は、一方の端部が回動自在にヒンジにより接合され、他方の端部が着脱自在にキャッチにより係止されることを特徴とするピアス。
【請求項２】
前記複数の線材のうちの１本の線材は、前記ヒンジと前記キャッチとの間隔よりも長いことを特徴とする請求項１記載のピアス。
【請求項３】
前記ヒンジが前記線材の接合部において、前記立体の内側に設置されていることを特徴とする請求項１または２記載のピアス。
【考案の詳細な説明】
【技術分野】
【０００１】
本考案はピアス、装身具の一種であるピアスに関する。
【背景技術】
【０００２】
ピアスには、装飾体であるモチーフ、モチーフを着脱する為に必要な機能を備えたポスト、及びポストの一部を掴むキャチを有しており、その別々のパーツが組み合わさりひとつのピアスが形成されている（例えば、特許文献１参照）。
【先行技術文献】
【特許文献】
【０００３】
【特許文献１】特開２００１−１０４０２４号公報（第２−３頁、図１）
【考案の概要】
【考案が解決しようとする課題】
【０００４】
特許文献１に記載されたピアスは一対の半円状のモチーフが回転自在に軸支されている為、装身具としてのデザイン性が損なわれてしまうという問題があった。
本考案では以上の課題点を解決する為になされたものであって、その要旨は、デザイン性に優れたピアスを提供する事を目的とする。
【課題を解決するための手段】
【０００５】
（１）本実用新案登録に係るピアスは、立体の稜線の位置に配置され、該立体を形成する複数の線材から構成され、前記複数の線材のうちの１本の線材は、一方の端部が回動自在にヒンジにより接合され、他方の端部が着脱自在にキャッチにより係止されることを特徴とする。
（２）また、前記複数の線材のうちの１本の線材は、前記ヒンジと前記キャッチとの間隔よりも長いことを特徴とする。
（３）前記ヒンジが前記線材の接合部において、前記立体の内側に設置されている事を特徴とする。
【考案の効果】
【０００６】
本考案は前記構成であるから、ポストがモチーフとして機能する為、装着すると上下左右の何れの方向からみてもモチーフのみであり、機能性を兼ね備え、デザイン性に優れた装身具である。
【図面の簡単な説明】
【０００７】
【図１】実施の形態１に係るピアスを示す斜視図。
【図２ａ】実施の形態１に係るピアスの一部の動きを示す斜視図。
【図２ｂ】実施の形態１に係るピアスの一部の動きを示す部分拡大図。
【図３】実施の形態１に係るピアスの耳への装着状態を示す側面図。
【図４ａ】実施の形態２に係るピアスを示す斜視図。
【図４ｂ】実施の形態２に係るピアスを示す部分拡大図。
【図５】実施の形態３に係るピアスを示す斜視図。
【考案を実施するための形態】
【０００８】
（実施の形態１）
図１〜図３は本考案の実施の形態１に係るピアスを示すものであって、図１は斜視図、図２ａは一部の動きを示す斜視図、図２ｂは一部を示す拡大図。図３は耳への装着状態を示す側面図である。
図１においてピアス１０は線材１ａ、１ｂ、１ｃ、１ｄ、１ｅ、及び線材（以下「ポスト」と称す）３によって形成された四面体である。そしてポスト３は線材１ａと線材１ｂの交点に設置されたヒンジ２に回転自在に設置されている、そして線材１ｄと線材1ｅの交点にはキャッチ４が設置され、ポスト３がキャッチ４によって係止されている。
【０００９】
図２においてポスト３の一方の端部をキャッチ４から外すことによって、ポスト３が回転してポスト３の端部がキャッチ４から離れる。従ってキャッチ４とポスト３の端部との間に空間ができるので耳５の穴にポスト３を通す事ができる。
図３において、図２で耳５の穴にポスト３を通した後、ポスト３をキャッチ４で加えることによってピアス１０の耳５への装着が完了する。この時ポスト機能を有するポスト３は線材１ａ、１ｂ、１ｃ、１ｄ、１ｅと共に四面体を形成する一辺となる。さらにキャッチ４を四面体の内側に配置しておけば目立たなくなる為デザイン性がさらに向上する。さらにポスト機能を有するポスト３の長さをヒンジ２とキャッチ４との間隔よりも長くしておけば仮に四面体が変形してもキャッチ４からポスト３が外れる事がないので、安心して装着する事ができる。
【００１０】
（実施の形態２）
図４は実施の形態２に係るピアスを説明するものであって、図４ａは斜視図、図４ｂは一部の拡大図である。なお実施の形態１と同じ部位については同じ符号を付し一部の説明を省略する。
図４においてピアス２０のヒンジ２ｂはピアス１０のヒンジ２とは向きが違っており、キャッチ４の開口部の向きも違っている。すなわち、ピアス１０ではポスト３が線材１ｃに対して垂直な面内を回転するのに対し、ピアス２０ではポスト３が線材１ｃに対して平行な面内を回転する。同様にキャッチ４の開口部の向きがピアス１０では線材１ｃに対して垂直な面内を向くのに対し、ピアス２０ではキャッチ４ｂの開口部が線材１ｃに対して向きが平行である。
したがってピアス２０はピアス１０と同様にデザイン性に優れている。さらにキャッチ４ｂの開口部が１ｃに対して向きが平行になっているので、装着時に下向きに引っ張られてもポスト３がキャッチ４ｂから外れにくく取れにくいので、さらに安心して装着する事ができる。
【００１１】
（実施の形態３）
図５は実施の形態３に係るピアスを説明する斜視図である。なお実施の形態１と相当する部位については同じ符号を付し一部の説明を省略する。
図5においてピアス３０は線材１ｆ〜１ｐ、及びポスト３によって形成された六面体である。そしてポスト３は線材１ｆと線材１ｉの交点に設置されたヒンジ２に回転自在に設置されている、そして線材１ｈと線材１ｊの交点にはキャッチ４が設置され、ポスト３がキャッチ４によって係止されている。したがってピアス３０はピアス１０と同様にデザイン性に優れている。
【００１２】
（その他の実施の形態）
以上は正四面体及び正六面体について説明したが本考案はこれに限定させるものではない。例えば正八面体、十面体でもよい、または、いびつな多面体でもよく、線材が直線でなく曲がっていてもよい。また、それぞれの線材の太さが相違していてもよい。
【符号の説明】
【００１３】
１    線材
２    ヒンジ
３    ポスト
４    キャッチ
５    耳
１０  ピアス（実施の形態１）
２０  ピアス（実施の形態２）
３０  ピアス（実施の形態３）
【図１】
0003168432.tif 000003
【図２ａ】
0003168432.tif 000004
【図２ｂ】
0003168432.tif 000005
【図３】
0003168432.tif 000006
【図４ａ】
0003168432.tif 000007
【図４ｂ】
0003168432.tif 000008
【図５】
0003168432.tif 000009